(57)【要約】【課題】前、後面パネル及び側面パネルは底面パネル上の格納スペースに納めることで、輸送車による搬送時の積載枚数を増やすことが可能になり、折畳んだパネルが積載する折畳み型コンテナの荷重によって変形するのを防止し、かつ安定性良く多数枚の折畳み型コンテナを積載することができる折畳み型コンテナを提供する。【解決手段】下側にデッキ部２を有する平面略長方形の底面パネルの長手方向両側縁に一対の立上り部５を設け、底面パネル上をパネル格納部としてある。各立上り部５に側面パネル７を転倒可能に連結してある。高さ方向の途中から上部側の上パネル部９Ｂ、１０Ｂが外方に折畳み可能な前、後面パネル９、１０を底面パネルの前、後縁に転倒可能に連結してある。前、後面パネル９、１０及び側面パネル７はパネル格納部に折畳んで収納可能になっている。【選択図】図６
2013028375.tif 000002
【特許請求の範囲】
【請求項１】
下側にデッキ部を有する平面略長方形の底面パネルの長手方向両側縁に、一対の立上り部を設けることにより底面パネル上をパネル格納部とし、前記各立上り部に側面パネルを転倒可能に連結し、高さ方向の途中から上部側が外方に折畳み可能な前、後面パネルを前記底面パネルの前、後縁に転倒可能に連結して構成し、前記前、後面パネル及び側面パネルは前記パネル格納部に折畳んで収納可能にしてなる折畳み型コンテナ。
【請求項２】
前記立上り部は、前記底面パネルの両側縁に一体に形成してある請求項１記載の折畳み型コンテナ。
【請求項３】
前記前、後面パネルは、前記側面パネルに係止手段により係脱可能に係着するようにしてあることを特徴とする請求項１記載の折畳み型コンテナ。
【請求項４】
前記底面パネル、一対の側面パネル及び前、後面パネルは、多数本の鋼材を組んでメッシュ状に構成したものであることを特徴とする請求項１記載の折畳み型コンテナ。
【発明の詳細な説明】
【技術分野】
【０００１】
本発明は、例えば収穫したジャガイモ、玉ねぎ、人参等の各種の農産物、漁業の分野での採取した貝や海藻、林業の分野での伐採した小枝、製造業の分野での製造部品等、種々の分野で用いる折畳み型コンテナに関する。
【背景技術】
【０００２】
例えばジャガイモ、玉ねぎ、人参等の農産物を収穫して集荷し、運搬する従来のコンテナは、平面長方形の底部パネルと、該底部パネルの長手方向両側縁から起立する左、右側面パネルと、底部パネルの前縁及び後縁から起立する前、後面パネルとから上方が開放した箱型に構成してある。そして、底面パネルに対して起立する各面のパネルは折畳み可能に構成することにより、空のコンテナを移送したり保管する場合の効率を高めるようにしている。
【先行技術文献】
【特許文献】
【０００３】
【特許文献１】第２９９２２７９号特許公報
【発明の概要】
【発明が解決しようとする課題】
【０００４】
ところで、トレーラーにコンテナを積んで長距離搬送する場合、輸送量等の要請から例えば横幅１７００ｍｍ、奥行き９５０ｍｍ、高さ１３００ｍｍ（但し、いずれも概数）の寸法のコンテナＣを使用しているが、前面及び後面パネルの高さ寸法が底面パネルの奥行き寸法より大きいことから、折畳んだ場合に前面、後面パネルの先端側が底面パネルより張出してしまい、トレーラーに積載する枚数が制約されるという問題がある(図１０参照)。
【０００５】
本発明は上述した従来技術の問題点に鑑みなされたもので、前、後面パネル及び側面パネルは底面パネルの寸法内で、かつ底面パネル上の格納スペースに納まるので、搬送時の積載枚数を増やすことが可能であるし、折畳んだパネルが積載する折畳み型コンテナの荷重によって変形するのを防止でき、かつ安定性良く折畳み型コンテナを積載することができる折畳み型コンテナを提供することを目的とする。
【課題を解決するための手段】
【０００６】
上述した課題を解決する本発明を構成する手段は、下側にデッキ部を有する平面略長方形の底面パネルの長手方向両側縁に、一対の立上り部を設けることにより底面パネル上をパネル格納部とし、前記各立上り部に側面パネルを転倒可能に連結し、高さ方向の途中から上部側が外方に折畳み可能な前、後面パネルを前記底面パネルの前、後縁に転倒可能に連結して構成し、前記前、後面パネル及び側面パネルは前記パネル格納部に折畳んで収納可能にしたことにある。
【０００７】
そして、前記立上り部は、前記底面パネルの両側縁に一体に形成するとよい。
【０００８】
また、前記前、後面パネルは、前記側面パネルに係止手段により係脱可能に係着するようにするとよい。
【０００９】
更に、前記底面パネル、一対の側面パネル及び前、後面パネルは、多数本の鋼材を組んでメッシュ状に構成するとよい。
【発明の効果】
【００１０】
本発明は上述の如く構成したから、下記の諸効果を奏する。
（１）折畳み型コンテナは、底面パネルの長手方向両側縁に一対の立上り部を設けて底面パネル上をパネル格納部とし、パネル格納部に前、後面パネル及び側面パネルを折畳んだ状態で収納可能にしたから、空で搬送する場合に搬送車両への積載枚数を増やすことができて輸送効率を高めることができる。
（２）上記構成から、前後、両側の各パネルはパネル格納部内に収納し、一対の立上り部が積載する折畳み型コンテナを支承することにより、各パネルが荷重で変形する事態を防止し、耐久性のある折畳み型コンテナとすることができる。
（３）立上り部は底面パネルと一体に形成することにより、製作工数と製作費を低減できるし、ばらつきの無い平均した強度性を持たせることができる。
（４）前、後面パネルは係止手段により側面パネルに係脱可能に係着する構成にしたから、収穫物の移載時に前、後面パネルの上パネル部を簡単に開閉できるし、側面パネルとの組み付け作業を容易に行うことができる。
（５）底面パネル、一対の側面パネル及び前、後面パネルは、多数本の鋼材を組んでメッシュ状に構成することにより、コンテナ全体の軽量化を図ることができるし、各パネルも軽量であるから折畳み及び組み立て作業を楽に行うことができる。
【図面の簡単な説明】
【００１１】
【図１】図１乃至図９は本発明の実施の形態に係り、図１は折畳み型コンテナの正面図である。
【図２】折畳み型コンテナの右側面図である。
【図３】底面パネルの正面図である。
【図４】折畳み型コンテナの全体斜視図である。
【図５】前、後面パネルの上パネル部を外側に転倒させた説明図である。
【図６】前面パネルの下パネル部を内側に転倒させて折畳む説明図である。
【図７】後面パネルの下パネル部を内側に転倒させて折畳む説明図である。
【図８】側面パネルを内側に転倒させる説明図である。
【図９】折畳み型コンテナをトレーラに積載した説明図である。
【図１０】従来の折畳み型コンテナをトレーラーに積載した説明図である。
【発明を実施するための形態】
【００１２】
以下、本発明の実施の形態を図面に基づき詳述する。図において、１は折畳み型コンテナ、２は該折畳み型コンテナ１を構成するデッキ部で、該デッキ部２はＣ型チャンネル材を略長方形に組んだ枠体２Ａと、該枠体２Ａの内側に前後方向に連結した一対の補強材２Ｂ、２Ｂと、枠体２Ａ及び補強材２Ｂ、２Ｂの前後側下端に固着した平鋼板からなる連結材２Ｃ、２Ｃとから構成してあり、デッキ部２内にはフォークリフトによるリフト時にフォークを挿入するための挿入口２Ｄ、２Ｄが形成してある。
【００１３】
３、３は前記デッキ部２の長手方向両端に前後方向に離間して固着した左右一対の略Ｕ字型支持材で、該Ｕ字型支持材３は上端側３Ａを後述する立上り部４より上方に突出させてあり、重畳した上側の折畳み型パレット１を下側の折畳み型パレット１が側方から支えるものである。
【００１４】
４はデッキ部２上に固着した長方形の底面パネルで、該底面パネル４は丸棒鋼からなる複数本の縦材４Ａ及び横材４Ｂを格子状に組んで構成してある。５、５は底面パネル４の長手方行両側縁４Ａ、４Ａから起立する左右一対の立上り部を示し、該各立上り部５は、底面パネル４を構成する横材４Ｂの両先端側を折り曲げることにより立上材５Ａ、５Ａ、・・・とし、この上端に横連結材５Ｂを架設して溶接手段により固着することにより構成してある。そして、丸棒鋼を略Ｌに屈曲形成した複数本の補強材５Ｃを底面パネル４から立上り部５にかけて溶接手段により固着することにより立上り部５を補強してある。
【００１５】
ここで、立上り部５は、その高さを後述する前、後面パネル９、１０と左、右側面パネル７、７を重畳した厚さに設定することにより、底面パネル４上はパネル格納部６になっている。
【００１６】
７、７は前記立上り部５の横連結材５Ｂに下端７Ａを回動可能に連結した左、右一対の側面パネルで、該各側面パネル７は丸棒鋼を格子状に組み、両側縁に縦方向に離間して略倒置Ｃ字状の３個の係合環７Ｂ、７Ｂ、７Ｂを突出させて構成してあり、立上り部５とは丸棒鋼をコイル状に形成した連結材８で連結してある。９は底面パネル４の前縁４Ｂに回動可能に連結した前面パネル、１０は底面パネル４の後縁４Ｃに回動可能に連結した後面パネルで、該前面パネル９及び後面パネル１０は丸棒鋼を格子状に組んで構成してあり、底面パネル４とは丸棒鋼をコイル状に形成した連結材１１で連結してある。
【００１７】
ここで、前面パネル９及び後面パネル１０は高さ方向中間より若干上の部分で下パネル部９Ａ（１０Ａ）と上パネル部９Ｂ（１０Ｂ）に分割し、コイル状に形成した連結材９Ｃ（１０Ｃ）で連結することにより、上パネル部９Ａ（１０Ａ）は矢示イ方向の外方に転倒可能になっている。
【００１８】
１２、１２、１２は下パネル部９Ａ（１０Ａ）に２個、上パネル部９Ｂ（１０Ｂ）に１個設けた係止手段としてのロック機構を示す。該各ロック機構１２は下、上パネル部９Ａ、９Ｂ（１０Ａ、１０Ｂ）に固着した取付体１２Ａと、該取付体１２Ａに横方向に摺動可能に挿装した係着棒１２Ｂとから構成してあり、該係着棒１２Ｂは側面パネルの係合環７Ｂに挿入することで、前、後面パネル９、１０は両側面パネル７、７に係着可能になっている。
【００１９】
なお、底面パネル４、側面パネル７及び前、後面パネル９、１０は、多数本の鋼材を組んでメッシュ状に構成することにより、折畳み型コンテナ１全体が軽量化し、また側面パネル７及び前、後面パネル９、１０も軽量であるから折畳み及び組み立て操作を容易に行うことができる。また、通気性に優れているから、収穫物の保存に好適である。
【００２０】
上述の構成からなる本実施の形態に係る折畳み型コンテナ１について、組み立てた状態から折畳んだ状態までの工程を図４乃至図８に示す。先ず、ロック機構１２、１２を解除して前面パネル９の上パネル部９Ｂ、そして後面パネル１０の上パネル部１０Ｂを矢示イ方向の外側に転倒する(図５)。次に、前、後面パネル９、１０の下パネル部９Ａ、１０Ａを矢示ロ方向に転倒させて底面パネル４上に折り畳む（図６及び図７）。更に、側面パネル７、７を矢示ハ、ニ方向に順次転倒させる（図８）。
【００２１】
かくして、前面パネル９、後面パネル１０及び一対の側面パネル７、７は底面パネル４のサイズ内で、パネル格納部２Ｄ内に収納したコンパクトな状態に折畳むことができるから、図９に示すように折畳み型コンテナ１はトレーラーに縦２列に積載することができる。また、折畳み型コンテナ１の上に折畳み型コンテナ１を積重した場合に、立上り部５、５が上方からの荷重を受承することで、各パネル４、７、９、１０には荷重が掛からないので変形することがなく、耐久性に優れた折畳み型コンテナ１として使用することができる。
【００２２】
なお、本実施の形態で立上り部５は底面パネル４と一体に形成したが、底面パネル４とは別部材により構成して底面パネル４に固着してもよい。
【符号の説明】
【００２３】
１      折畳み型コンテナ
２      デッキ部
４      底面パネル
５      立上り部
７      側面パネル
９      前面パネル
１０    後面パネル
１２    ロック機構（係止手段）
【図１】
2013028375.tif 000003
【図２】
2013028375.tif 000004
【図３】
2013028375.tif 000005
【図４】
2013028375.tif 000006
【図５】
2013028375.tif 000007
【図６】
2013028375.tif 000008
【図７】
2013028375.tif 000009
【図８】
2013028375.tif 000010
【図９】
2013028375.tif 000011
【図１０】
2013028375.tif 000012